【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
ａ）少なくとも式（Ｉ）：
【化１】
2006509064.tif 000001
［式中、
Ｍは、元素の周期表の３、４、５、６族またはランタニドまたはアクチニド族に属する遷移金属であり；
ｐは、０から３の整数であり、金属Ｍの形式酸化状態マイナス２に等しく；
Ｘは、互いに同一または異なり、水素原子、ハロゲン原子、Ｒ、ＯＲ、ＯＳＯ2ＣＦ3、ＯＣＯＲ、ＳＲ、ＮＲ2またはＰＲ2基（式中、Ｒは、元素の周期表の１３−１７族に属する異原子を任意に含有する、線状あるいは分枝状の飽和あるいは不飽和Ｃ1−Ｃ20アルキル、Ｃ3−Ｃ20シクロアルキル、Ｃ6−Ｃ20アリ−ル、Ｃ7−Ｃ20アルキルアリールまたはＣ7−Ｃ20アリールアルキル基である）であり；または２つのＸは、任意に、置換あるいは非置換のブタジエニル基、またはＯＲ'Ｏ基（式中、Ｒ'は、Ｃ1−Ｃ20アルキリデン、Ｃ6−Ｃ40アリーリデン、Ｃ7−Ｃ40アルキルアリーリデンおよびＣ7−Ｃ40アリールアルキリデン基から選択された２価の基である）を形成することができ；；
Ｌは、元素の周期表の１３−１７族に属する異原子を任意に含有する、Ｃ1−Ｃ20アルキリデン、Ｃ3−Ｃ20シクロアルキリデン、Ｃ6−Ｃ20アリーリデン、Ｃ7−Ｃ20アルキルアリーリデンおよびＣ7−Ｃ20アリールアルキリデン基、および５以下の珪素原子を含むシリリデン基から選択される２価の橋架基であり；；
Ｒ1とＲ3は、互いに同一または異なり、元素の周期表の１３−１７族に属する異原子を任意に含有する、線状あるいは分枝状の飽和あるいは不飽和Ｃ1−Ｃ20アルキル、Ｃ3−Ｃ20シクロアルキル、Ｃ6−Ｃ20アリ−ル、Ｃ7−Ｃ20アルキルアリールまたはＣ7−Ｃ20アリールアルキル基であり；
Ｒ2とＲ4は、互いに同一または異なり、水素原子、あるいは元素の周期表の１３−１７族に属する異原子を任意に含有する、線状あるいは分枝状の飽和あるいは不飽和Ｃ1−Ｃ20アルキル、Ｃ3−Ｃ20シクロアルキル、Ｃ6−Ｃ20アリ−ル、Ｃ7−Ｃ20アルキルアリールまたはＣ7−Ｃ20アリールアルキル基であり；
Ｔ1とＴ2は、互いに同一または異なり、式（II）、(III)あるいは（IV）：
【化２】
2006509064.tif 000002
（式中、＊で示される原子は、式（Ｉ）で同じ記号結合手で示した原子に結合し；
Ｒ5、Ｒ6、Ｒ7、Ｒ8とＲ9は、互いに同一または異なり、水素原子、あるいは元素の周期表の１３−１７族に属する異原子を任意に含有する、線状あるいは分枝状の飽和あるいは不飽和Ｃ1−Ｃ20アルキル、Ｃ3−Ｃ20シクロアルキル、Ｃ6−Ｃ40アリ−ル、Ｃ7−Ｃ40アルキルアリール、Ｃ7−Ｃ40アリールアルキル基であり；
Ｒ6とＲ7はまた結合して、元素の周期表の１３−１６族に属する異原子を任意に含有する、飽和あるいは不飽和の縮合５から７員環を形成することができる）の部分である］
のメタロセン化合物；および
ｂ）少なくともアルモキサンあるいはアルキルメタロセンカチオンを形成することができる化合物
を接触して得ることができる触媒系の存在下、１−ブテンと１つ以上のアルファーオレフィン類を重合条件下で接触させることからなる、３０モル％以下の１つ以上の式ＣＨ2＝ＣＨＺ（式中、ＺはＣ3−Ｃ20炭化水素基である）のアルファーオレフィンから誘導される単位を含む、アイソタクチック１−ブテンコポリマー類の製造方法。
【請求項２】
メタロセン化合物が、次式（Ｖ）：
【化３】
2006509064.tif 000003
［式中、
Ｍ、Ｌ、Ｘとｐは、請求項１におけるのと同じ意味を有し；
Ｒ10は、互いに同一または異なり、水素原子、あるいは元素の周期表の１３−１７族に属する異原子を任意に含有する、線状あるいは分枝状の飽和あるいは不飽和Ｃ1−Ｃ19アルキル、Ｃ3−Ｃ19シクロアルキル、Ｃ6−Ｃ19アリ−ル、Ｃ7−Ｃ19アルキルアリール、Ｃ7−Ｃ19アリールアルキル基であり；
Ｔ3とＴ4は、互いに同一または異なり、式（Ｖａ）、（Ｖｂ）あるいは（Ｖｃ）：
【化４】
2006509064.tif 000004
（式中、
記号＊で示される原子は、式（Ｖ）で同じ記号で示される原子に結合し；
Ｒ6、Ｒ7とＲ9は、請求項１におけるのと同じ意味を有する）
の部分である］
を有する請求項１による方法。
【請求項３】
アルファーオレフィン類から誘導される単位の含有量が、２モル％から２０モル％である請求項１または２による方法。
【請求項４】
以下の特徴：
−アイソタクチックペンタド（ｍｍｍｍ）＞９０％；と
−ジエチルエーテルに可溶な画分のパーセント（％ＳＤ）とポリマー鎖中のアルファーオレフィン類のモル含量（％Ｏ）が、次の関係式：
％ＳＤ＞２．８％Ｏ＋８
を満足する、
を有する、３０モル％以下の１つ以上の式ＣＨ2＝ＣＨＺ（式中、Ｚは、Ｃ3−Ｃ20の炭化水素基である）のアルファーオレフィン類から誘導される単位を含有するアイソタクチック１−ブテンコポリマー。
【請求項５】
５モル％と１２モル％の間からなるアルファーオレフィンから誘導される単位の含有量を有し、かつジエチルエーテルに可溶な画分のパーセント＞４１％を有する請求項４によるアイソタクチック１−ブテンコポリマー。
【請求項６】
以下の特徴：
−アイソタクチックペンタド（ｍｍｍｍ）＞９０％；と
−ポリマー鎖中における４，１挿入物の存在
を有する、３０モル％以下の１つ以上の式ＣＨ2＝ＣＨＺ（式中、Ｚは、Ｃ3−Ｃ20の炭化水素基である）のアルファーオレフィン類から誘導される単位を含有するアイソタクチック１−ブテンコポリマー。
【手続補正２】
【補正対象書類名】明細書
【補正対象項目名】００３０
【補正方法】変更
【補正の内容】
【００３０】
式Ｄ+Ｅ-の化合物の非限定例は：
トリエチルアンモニウムテトラ（フェニル）ボレート、
トリブチルアンモニウムテトラ（フェニル）ボレート、
トリメチルアンモニウムテトラ（トリル）ボレート、
トリブチルアンモニウムテトラ（トリル）ボレート、
トリブチルアンモニウムテトラ（ペンタフルオロフェニル）ボレート、
トリブチルアンモニウムテトラ（ペンタフルオロフェニル）アルミネート、
トリプロピルアンモニウムテトラ（ジメチルフェニル）ボレート、
トリブチルアンモニウムテトラ（トリフルオロメチルフェニル）ボレート、
トリブチルアンモニウムテトラ（４−フルオロフェニル）ボレート、
Ｎ，Ｎ−ジメチルベンジルアンモニウム−テトラキスペンタフロオロフェニルボレート、
Ｎ，Ｎ−ジメチルへキシルアンモニウム−テトラキスペンタフロオロフェニルボレート、
Ｎ，Ｎ−ジメチルアニリニウムテトラ（フェニル）ボレート、
Ｎ，Ｎ−ジエチルアニリニウムテトラ（フェニル）ボレート、
Ｎ，Ｎ−ジメチルアニリニウムテトラキス（ペンタフルオロフェニル）ボレート、
Ｎ，Ｎ−ジメチルアニリニウムテトラキス（ペンタフルオロフェニル）アルミネート、
ジ（プロピル）アンモニウムテトラキス（ペンタフルオロフェニル）ボレート、
ジ（シクロヘキシル）アンモニウムテトラキス（ペンタフルオロフェニル）ボレート、
トリフェニルフォスフォニウムテトラキス（フェニル）ボレート、
トリエチルフォスフォニウムテトラキス（フェニル）ボレート、
ジフェニルフォスフォニウムテトラキス（フェニル）ボレート、
トリ（メチルフェニル）フォスフォニウムテトラキス（フェニル）ボレート、
トリ（ジメチルフェニル）フォスフォニウムテトラキス（フェニル）ボレート、
トリフェニルカルベニウムテトラキス（ペンタフルオロフェニル）ボレート、
トリフェニルカルベニウムテトラキス（ペンタフルオロフェニル）アルミネート、
トリフェニルカルベニウムテトラキス（フェニル）アルミネート、
フェロセニウムテトラキス（ペンタフルオロフェニル）ボレート、
フェロセニウムテトラキス（ペンタフルオロフェニル）アルミネート、
である。
【手続補正３】
【補正対象書類名】明細書
【補正対象項目名】００４３
【補正方法】変更
【補正の内容】
【００４３】
この発明の目的である１−ブテンコポリマー類は、さらに分子量分布Ｍｗ／Ｍｎ＜４；好ましくはＭｗ／Ｍｎ＜３；より好ましくはＭｗ／Ｍｎ＜２．５で与えられる。
デカヒドロナフタレン中で測定された極限粘度数（Ｉ．Ｖ．）は、１ｄｌ／ｇより高く、好ましくは１．２５ｄｌ／ｇより高い。
この発明の１−ブテンコポリマーは、アイソタクチックまたはシンジオタクチックポリプロピレンのホモおよびコポリマー、１−ブテンホモポリマー、およびエチレンのホモおよびコポリマーのような他のポリオレフィン類との混合物の成分として有利に利用することができる。